(57)【要約】【課題】他の装置と接続することなく、屋外の気象状態に対応して変化する画像を常時表示させることができるようにする。【解決手段】パラメータ演算モジュール４３は、センサ部１６により検出された気象情報６１に基づいて、天気パラメータ６３−１、風パラメータ６３−２、および、気温湿度パラメータ６３−３といったパラメータの値を演算する。画像処理モジュール４４は、これらのパラメータの値に基づいて、所定の画像データ６４に対応する画像を屋外の気象状態に対応する画像とするように、画像データ６４を加工して処理画像データ６５とする。画像表示制御モジュール４５は、処理画像データ６５に対応する画像を表示部１９に表示させる。本発明は、壁紙を表示可能なパーソナルコンピュータに適用可能である。【選択図】　　　図２
2004145419.tif 000002
【特許請求の範囲】
【請求項１】
屋外の気象状態を表す１つ以上の気象要素を検出し、その検出結果を気象情報として出力する検出手段と、
前記検出手段より出力された前記気象情報に基づいて、所定のパラメータの値を演算する演算手段と、
前記演算手段により演算された前記パラメータの値に基づいて、所定の画像データに対応する画像を前記屋外の気象状態に対応する画像とするように、前記画像データを加工する画像加工手段と、
前記画像加工手段により加工された前記画像データに対応する前記画像の表示を制御する表示制御手段と
を備えることを特徴とする画像処理装置。
【請求項２】
前記表示制御手段により表示が制御される前記画像は、壁紙、またはスクリーンセーバに利用される画像である
ことを特徴とする請求項１に記載の画像処理装置。
【請求項３】
前記検出手段より出力された前記気象情報を記憶する記憶手段をさらに備え、
前記演算手段は、前記記憶手段に記憶された前記気象情報のうちの、現時点より過去の前記屋外の気象状態を表す前記気象情報に基づいて、前記パラメータの値を演算する
ことを特徴とする請求項１に記載の画像処理装置。
【請求項４】
前記気象情報は、前記気象要素として天気を含み、
前記演算手段は、前記気象情報のうちの前記天気に基づいて前記パラメータの値を演算する
ことを特徴とする請求項１に記載の画像処理装置。
【請求項５】
前記気象情報は、前記気象要素として風を含み、
前記演算手段は、前記気象情報のうちの前記風に基づいて前記パラメータの値を演算する
ことを特徴とする請求項１に記載の画像処理装置。
【請求項６】
前記気象情報は、前記気象要素として気温および湿度を含み、
前記演算手段は、前記気象情報のうちの前記気温および前記湿度に基づいて前記パラメータの値を演算する
ことを特徴とする請求項１に記載の画像処理装置。
【請求項７】
前記演算手段は、所定の条件が満たされる度に、その時点で前記検出手段より出力された前記気象情報に基づいて、前記パラメータの値を逐次更新し、
前記画像加工手段は、前記演算手段により直前に更新された前記パラメータの値に基づいて、前記画像データを加工する
ことを特徴とする請求項１に記載の画像処理装置。
【請求項８】
前記演算手段により前記パラメータの値が更新される前記条件は、その直前に前記パラメータの値が更新された時刻から所定の時間が経過することである
ことを特徴とする請求項７に記載の画像処理装置。
【請求項９】
所定のゲームを実行するゲーム実行手段をさらに備え、
前記表示制御手段により表示が制御される前記画像は、前記ゲームに使用される画像である
ことを特徴とする請求項１に記載の画像処理装置。
【請求項１０】
前記ゲーム実行手段は、前記演算手段により演算された前記パラメータの値に基づいて、前記ゲームの進行状況を前記屋外の天気に対応する状況に変更する
ことを特徴とする請求項９に記載の画像処理装置。
【請求項１１】
屋外の気象状態に対応する画像の表示を制御する画像処理装置の画像処理方法であって、
前記屋外の気象状態を表す１つ以上の気象要素を検出し、その検出結果を気象情報として出力する検出ステップと、
前記検出ステップの処理により出力された前記気象情報に基づいて、所定のパラメータの値を演算する演算ステップと、
前記演算ステップの処理により演算された前記パラメータの値に基づいて、所定の画像データに対応する画像を前記屋外の気象状態に対応する画像とするように、前記画像データを加工する画像加工ステップと、
前記画像加工ステップの処理により加工された前記画像データに対応する前記画像の表示を制御する表示制御ステップと
を含むことを特徴とする画像処理方法。
【請求項１２】
屋外の気象状態に対応する画像の表示を制御する処理を、コンピュータに実行させるプログラムであって、
所定のセンサにより、前記屋外の気象状態を表す１つ以上の気象要素が検出され、その検出結果が気象情報として出力された場合、前記気象情報に基づいて所定のパラメータの値を演算する演算ステップと、
前記演算ステップの処理により演算された前記パラメータの値に基づいて、所定の画像データに対応する画像を前記屋外の気象状態に対応する画像とするように、前記画像データを加工する画像加工ステップと、
前記画像加工ステップの処理により加工された前記画像データに対応する前記画像の表示を制御する表示制御ステップと
を含むことを特徴とするプログラム。
【発明の詳細な説明】
【０００１】
【発明の属する技術分野】
本発明は、画像処理装置および方法、並びにプログラムに関し、特に、他の装置と接続することなく、屋外の気象状態に対応して変化する画像を表示させることができるようにした画像処理装置および方法、並びにプログラムに関する。
【０００２】
【従来の技術】
近年、パーソナルコンピュータに代表される、画像表示が可能な画像処理装置が、オフィスや家庭内などのいたるところに遍在している。このような環境の下、多数のユーザは、パーソナルコンピュータの画面上に、実作業に必要な画像（例えば、ワードプロセッサや表計算等のアプリケーションソフトウエアで利用される画像）の他、それらの画像の背景画像として、いわゆる壁紙を表示させている。
【０００３】
【発明が解決しようとする課題】
しかしながら、この壁紙は、一般的に、景色、ポートレート（人物、動物、若しくは静物）または、シンボル（文字や記号等）といった変化しない画像（固定的な画像）であることが多く、ユーザの多様な要望を満たす、個性に富んだ壁紙が少ないという課題があった。
【０００４】
具体的には、例えば、外界は雨であるのに、壁紙は晴れた富士山の景色のままであるといった状態を不満とし、外界の状況を壁紙に反映させたいと要望するユーザの数が近年増加しているが、従来の壁紙では、そのようなユーザの要望を満たすことは困難であるという課題があった。
【０００５】
壁紙に限らず、例えば、いわゆるスクリーンセーバと称される画像にも同様の課題が発生する。
【０００６】
即ち、スクリーンセーバは、画面の焼き付き防止用の画像であるため、画像は固定されず変化する。しかしながら、従来のスクリーンセーバにおいては、変化といっても、その時の時間に合わせて、色合いなどが変化するか、若しくは、３次元的な視点移動でシンボルの形が変化するか（渦巻状に変形したり、画面奥から手前へ大きく動いたりするか）、音声に応じて模様が変化するか、または、予め設定されたストーリーに従って画像が変化する（シーケンシャルに変化する）といった単純な変化であることが多い。
【０００７】
従って、このような単純な変化しか起こらないスクリーンセーバでは、上述したような、実世界の状況を画面上に反映させたいといったユーザの要望を満たすことは困難であるという課題があった。
【０００８】
ところで、特許文献１には、外界情報をゲームの内容に反映させるゲーム装置が開示されている。
【０００９】
しかしながら、特許文献１に開示されているゲーム装置は、外界情報を利用する場合、インターネットに接続された他の装置から配信された外界情報を、インターネットを介してダウンロードすることを前提としている。
【００１０】
従って、このゲーム装置は、最新の外界情報を取得するために、少なくともゲームを実行している間、インターネットに接続しなければならないという課題を有している。
【００１１】
具体的には、例えば、業務用のゲーム装置の中には、インターネットに常時接続されたものもあるが、家庭用ゲーム装置の多くは、インターネット接続機能を有していたとしても、現状、ダイヤルアップ等の接続方式でインターネットに接続することが多く、インターネットに常時接続していることは稀である。
【００１２】
即ち、現状、数多くのユーザは、ゲーム装置をインターネットに接続させる毎に、接続料という対価を支払っており、外界情報をゲーム装置に取得させるためだけに、この接続料というコストが発生するという課題がある。また、外界情報をゲーム装置に取得させるためだけに、インターネット接続に伴うユーザの手動操作が必要になるという課題もある。さらに、ユーザの中には、セキュリティ上の問題から、ゲーム装置がインターネットに長時間接続された状態となることを望まない者も多数いるという課題もある。
【００１３】
勿論、ユーザが、インターネット接続機能を有していないゲーム装置を利用する場合、または、たとえインターネット接続機能を有していても、ユーザがインターネットを利用しない場合、ゲーム装置は、外界情報を直接取得することは困難である。
【００１４】
このようなゲーム装置の課題は、ゲーム専用装置のみならず、パーソナルコンピュータに代表される全ての情報処理装置（画像処理装置）に対しても同様に発生する。
【００１５】
本発明は、このような状況に鑑みてなされたものであり、他の装置と接続することなく、屋外の気象状態に対応して変化する画像を表示させることができるようにするものである。
【００１６】
【特許文献１】
特開２００２−１５９７３８号公報
【００１７】
【課題を解決するための手段】
本発明の画像処理装置は、屋外の気象状態を表す１つ以上の気象要素を検出し、その検出結果を気象情報として出力する検出手段と、検出手段より出力された気象情報に基づいて、所定のパラメータの値を演算する演算手段と、演算手段により演算されたパラメータの値に基づいて、所定の画像データに対応する画像を屋外の気象状態に対応する画像とするように、その画像データを加工する画像加工手段と、画像加工手段により加工された画像データに対応する画像の表示を制御する表示制御手段とを備えることを特徴とする。
【００１８】
表示制御手段により表示が制御される画像は、壁紙、またはスクリーンセーバに利用される画像であるようにすることができる。
【００１９】
検出手段より出力された気象情報を記憶する記憶手段をさらに設け、演算手段は、記憶手段に記憶された気象情報のうちの、現時点より過去の屋外の気象状態を表す気象情報に基づいて、パラメータの値を演算するようにすることができる。
【００２０】
気象情報は、気象要素として天気を含み、演算手段は、気象情報のうちの天気に基づいて、パラメータの値を演算するようにすることができる。
【００２１】
気象情報は、気象要素として風を含み、演算手段は、気象情報のうちの風に基づいて、パラメータの値を演算するようにすることができる。
【００２２】
気象情報は、気象要素として気温および湿度を含み、演算手段は、気象情報のうちの気温および湿度に基づいて、パラメータの値を演算するようにすることができる。
【００２３】
演算手段は、所定の条件が満たされる度に、その時点で検出手段より出力された気象情報に基づいて、パラメータの値を逐次更新し、画像加工手段は、演算手段により直前に更新されたパラメータの値に基づいて、画像データを加工するようにすることができる。
【００２４】
演算手段によりパラメータの値が更新される条件は、その直前にパラメータの値が更新された時刻から所定の時間が経過することであるようにすることができる。
【００２５】
所定のゲームを実行するゲーム実行手段をさらに設け、表示制御手段により表示が制御される画像は、そのゲームに使用される画像であるようにすることができる。
【００２６】
ゲーム実行手段は、演算手段により演算されたパラメータの値に基づいて、ゲームの進行状況を屋外の天気に対応する状況に変更するようにすることができる。
【００２７】
本発明の画像処理方法は、屋外の気象状態に対応する画像の表示を制御する画像処理装置の画像処理方法であって、屋外の気象状態を表す１つ以上の気象要素を検出し、その検出結果を気象情報として出力する検出ステップと、検出ステップの処理により検出された気象情報に基づいて、所定のパラメータの値を演算する演算ステップと、演算ステップの処理により演算されたパラメータの値に基づいて、所定の画像データに対応する画像を屋外の気象状態に対応する画像とするように、画像データを加工する画像加工ステップと、画像加工ステップの処理により加工された画像データに対応する画像の表示を制御する表示制御ステップとを含むことを特徴とする。
【００２８】
本発明のプログラムは、屋外の気象状態に対応する画像の表示を制御する処理を、コンピュータに実行させるプログラムであって、所定のセンサにより、屋外の気象状態を表す１つ以上の気象要素が検出され、その検出結果が気象情報として出力された場合、その気象情報に基づいて所定のパラメータの値を演算する演算ステップと、演算ステップの処理により演算されたパラメータの値に基づいて、所定の画像データに対応する画像を屋外の気象状態に対応する画像とするように、画像データを加工する画像加工ステップと、画像加工ステップの処理により加工された画像データに対応する画像の表示を制御する表示制御ステップとを含むことを特徴とする。
【００２９】
本発明の画像処理装置および方法、並びにプログラムにおいては、屋外の気象状態を表す複数の気象要素のうちの少なくとも１つの気象要素が検出され、その検出結果が気象情報として出力され、出力された気象情報に基づいて、所定のパラメータの値が演算され、演算されたパラメータの値に基づいて、所定の画像データに対応する画像が屋外の気象状態に対応する画像となるように画像データが加工され、加工された画像データに対応する画像が表示される。
【００３０】
本発明の画像処理装置は、静止画像を処理し、表示させる装置であってもよいし、動画像を処理し、表示させる装置であってもよい。或いは、本発明の画像処理装置は、静止画像と動画像のそれぞれを処理し、表示させる装置であってもよい。
【００３１】
また、本発明の画像処理装置により処理される画像は、予め画像処理装置内に格納されているものでもよいし、他の装置より供給されたものでもよい。
【００３２】
さらにまた、本発明の画像処理装置は、据置型の装置であってもよいし、携帯可能な携帯型の端末であってもよい。
【００３３】
【発明の実施の形態】
図１は、本発明が適用される画像処理装置の構成例を表している。
【００３４】
図１の画像処理装置１において、ＣＰＵ（Ｃｅｎｔｒａｌ　Ｐｒｏｃｅｓｓｉｎｇ　Ｕｎｉｔ）１１は、ＲＯＭ（Ｒｅａｄ　Ｏｎｌｙ　Ｍｅｍｏｒｙ）１２に記録されているプログラム、または記憶部２０からＲＡＭ（Ｒａｎｄｏｍ　Ａｃｃｅｓｓ　Ｍｅｍｏｒｙ）１３にロードしたプログラムに従って各種の処理を実行する。ＲＡＭ１３にはまた、ＣＰＵ１１が各種の処理を実行する上において必要なデータなども適宜記憶される。
【００３５】
ＣＰＵ１１、ＲＯＭ１２、およびＲＡＭ１３は、バス１４を介して相互に接続されている。このバス１４にはまた、入出力インタフェース１５も接続されている。
【００３６】
入出力インタフェース１５には、センサ部１６が接続されている。センサ部１６は、通常屋外に設置され、屋外の気象状態を表す１つ以上の気象要素を検出し、その検出結果（以下、このような検出結果のデータを、気象情報と称する）をＣＰＵ１１に供給する。
【００３７】
センサ部１６が検出する気象要素は、特に限定されない。例えば、気象庁は、天気予報等で使用する気象要素として、（１）気圧配置、（２）天気、（３）風（風速および風向）、（４）波、（５）気温および湿度、（６）降水、霜、および霧、（７）海氷、（８）季節現象の８つの気象要素を定義している。センサ部１６は、これら８つの気象要素のうちの任意の数の任意のものを検出することが可能であるし、或いは、これら８つの気象要素以外のものを検出してもよい。ただし、この例においては、説明の簡略上、例えば、センサ部１６は、屋外の天気、屋外の風（風速および風向）、並びに、屋外の気温および湿度を検出するとする。
【００３８】
また、センサ部１６の構成も、特に限定されない。例えば、センサ部１６のうちの屋外の天気を検出する部分は、晴れ、雨（弱、中、強）、雪（弱、中、強）、濃霧、にわか雨（弱、中、強）、および、みぞれ（弱、中強）等の天気を計れる現在天気計、降水の有無だけでなく雨量強度の測定が可能な感雨計、または気圧計等により構成可能である。例えば、センサ部１６のうちの屋外の風を検出する部分は、風向風速計等により構成可能である。例えば、センサ部１６のうちの屋外の気温および湿度を検出する部分は、気温湿度計等により構成可能である。
【００３９】
入出力インタフェース１５にはまた、キーボード、マウスなどよりなる入力部１７、表示部１９などよりなる出力部１８、ハードディスクなどより構成される記憶部２０、および、インターネットを含むネットワークを介する他の情報処理装置（図示せず）との通信処理を実行する通信部２１が接続されている。
【００４０】
入出力インタフェース１５にはさらに、必要に応じてドライブ２２が接続され、ドライブ２２には、磁気ディスク、光ディスク、光磁気ディスク、或いは半導体メモリなどよりなるリムーバブル記録媒体３１が適宜装着され、それらから読み出されたコンピュータプログラムが、必要に応じて記憶部２０にインストールされる。
【００４１】
なお、本発明が適用される画像処理装置の実施の形態は、図１に示されるようなパーソナルコンピュータ１に限定されず、様々な実施の形態が可能である。具体的には、例えば、ゲーム専用装置、ＰＤＡ（Ｐｅｒｓｏｎａｌ　Ｄｉｇｉｔａｌ　Ａｓｓｉｓｔａｎｔｓ）、携帯電話機、または、デジタル電化製品等様々な実施の形態が可能である。
【００４２】
図２は、画像処理装置１（図１）が有している機能のうちの、屋外の気象状態に対応して変化する画像を表示部１９に表示させる処理（以下、このような処理を、天気対応表示処理と称する）を行う機能を実現するソフトウエアプログラムの構成例を表している。
【００４３】
図２に示されるように、このソフトウエアプログラムは、気象情報記憶部４１および画像記憶部４２といったデータベース、並びに、パラメータ演算モジュール４３、画像処理モジュール４４、および画像表示制御モジュール４５といったモジュールにより構成される。これらの各モジュールのそれぞれは、１つの独立したアルゴリズムを持ち、かつ、そのアルゴリズムに従って固有の動作を実行する。即ち、各モジュールのそれぞれは、ＣＰＵ１１（図１）により適宜読み出され、実行される。なお、後述する他のモジュールについても同様とされる。
【００４４】
気象情報記憶部４１は、例えば、ＲＡＭ１３または記憶部２０（図１）内に形成され、上述したセンサ部１６より供給される気象情報６１を記憶する他、外部の気象情報配信装置５２より配信され、ネットワーク５１および通信部２１を介して供給される気象情報６２も記憶する。なお、ネットワーク５１の種類は、特に限定されないが、この例においては、例えば、インターネットとされる。
【００４５】
画像記憶部４２は、例えば、ＲＡＭ１３または記憶部２０内に形成され、所定の画像データ６４を記憶する。
【００４６】
パラメータ演算モジュール４３は、気象情報記憶部４１に記憶されている気象情報６１または気象情報６２のうちの所定のものに基づいて、所定のパラメータの値を演算する。
【００４７】
パラメータの数や種類は、特に限定されないが、この例においては、例えば、図２に示されるように、天気を表す天気パラメータ６３−１、風速および風向のそれぞれを表す風パラメータ６３−２、および、気温および湿度のそれぞれを表す気温湿度パラメータ６３−３の３つのパラメータが用意されている。また、これらのパラメータの値の表現方法も、特に限定されず、様々な表現方法が可能である。
【００４８】
画像処理モジュール４４は、パラメータ演算モジュール４３より供給されたパラメータの値に基づいて、画像記憶部４２に記憶されている所定の画像データ６４に対応する画像を屋外の気象状態に対応する画像とするように、その画像データ６４を加工して（必要に応じてさらに、所定の画像処理を施して）処理画像データ６５とし、画像表示制御モジュール４５に供給する。
【００４９】
画像表示制御モジュール４５は、画像処理モジュール４４より供給された処理画像データ６５に対応する画像を、表示部１９に表示させるように制御する。
【００５０】
次に、図３のフローチャートを参照して、図２の画像処理装置１の天気対応表示処理について説明する。
【００５１】
ステップＳ１において、パラメータ演算モジュール４３は、過去の所定の時刻の気象状態を表す気象情報（以下、そのような気象情報を、単に過去の気象情報と称する）を使用するか否かを判定する。
【００５２】
ステップＳ１において、過去の気象情報を使用すると判定した場合、パラメータ演算モジュール４３は、ステップＳ２において、気象情報記憶部４１に記憶されている過去の気象情報６１または過去の気象情報６２のうちの所定のものを取得する。
【００５３】
これに対して、ステップＳ１において、過去の気象情報を使用しないと判定した場合、パラメータ演算モジュール４３は、ステップＳ３において、センサ部１６からの気象情報を使用するか否かを判定する。
【００５４】
ステップＳ３において、センサ部１６からの気象情報を使用すると判定した場合、パラメータ演算モジュール４３は、ステップＳ４において、センサ部１６から、現在の気象状態を表す気象情報６１（以下、そのような気象情報を、単に現在の気象情報と称する）を気象情報記憶部４１介して取得する。なお、この現在の気象情報６１は、将来、過去の気象情報としても使用可能であるので、気象情報記憶部４１は、現在の気象情報６１を記憶する。
【００５５】
これに対して、ステップＳ３において、センサ部１６からの気象情報を使用しないと判定した場合、パラメータ演算モジュール４３は、ステップＳ５において、外部から、現在の気象情報を取得する。例えば、図２の例では、パラメータ演算モジュール４３は、気象情報配信装置５２から配信された気象情報６２を、ネットワーク５１、通信部２１、および気象情報記憶部４１を介して取得する。なお、外部からの現在の気象情報６２も、センサ部１６からの現在の気象情報６１と同様に、気象情報記憶部４１に記憶される。
【００５６】
このように、気象情報記憶部４１は、過去の気象情報６１または過去の気象情報６２も保持するので、パラメータ演算モジュール４３は、過去の気象情報６１または過去の気象情報６２に基づいて、いま現在の気象状態のみならず、過去の気象状態に対応するパラメータの値も演算可能である。即ち、後述するように、画像処理装置１は、現在のみならず、過去の気象状態に対応する画像も表示部１９に表示させることができる。
【００５７】
さらに、気象情報記憶部４１は、センサ部１６が設置された場所の気象情報６１のみならず、世界各国の任意の場所の任意の時刻の気象情報６２も記憶することが可能である。従って、パラメータ演算モジュール４３は、そのような気象情報６２に基づいて、任意の場所の任意の時刻の気象状態に対応するパラメータの値も演算可能である。即ち、後述するように、画像処理装置１は、任意の場所の任意の時刻の気象状態に応じた画像を表示部１９に表示させることができる。
【００５８】
ステップＳ６において、パラメータ演算モジュール４３は、取得した気象情報６１または気象情報６２のうちの天気の情報に基づいて、天気パラメータ６３−１の値を演算する。
【００５９】
ステップＳ７において、パラメータ演算モジュール４３は、取得した気象情報６１または気象情報６２のうちの風（風向および風速）の情報に基づいて風パラメータ６３−２の値を演算する。
【００６０】
ステップＳ８において、パラメータ演算モジュール４３は、取得した気象情報６１または気象情報６２のうちの気温と湿度の情報に基づいて、気温湿度パラメータ６３−３の値を演算する。
【００６１】
なお、ステップＳ６乃至Ｓ８の順序は、図３の例に限定されず、いずれの順序とされてもよいし、或いは、これらの処理が同時に実行されてもよい。
【００６２】
ステップＳ９において、画像処理モジュール４４は、パラメータ演算モジュール４３により演算されたパラメータの値（天気パラメータ６３−１、風パラメータ６３−２、および、気温湿度パラメータ６３−３のうちの少なくとも１つのパラメータの値）に基づいて、画像記憶部４２に記憶されている所定の画像データ６４を加工し、必要に応じて所定の画像処理を施して処理画像データ６５とし、画像表示制御モジュール４５に供給する。
【００６３】
なお、画像処理モジュール４４は、加工処理として、様々な処理を施すことが可能である。
【００６４】
例えば、いま、画像処理モジュール４４が、画像データ６４として、図４に示される画像７１−１に対応する画像データを取得したとする。画像７１−１は、例えば、壁紙用の画像とされ、画像７１−１には、オブジェクトとして、吹流し８１−１、雲８２−１、雲８３−１、および山８４−１が含まれている。
【００６５】
この場合、画像処理モジュール４４は、例えば、風パラメータ６３−２の値（風向に対応する値や、風速に対応する値）に応じて、図４の画像７１−１を、図５に示される画像７１−２とするように、画像データ６４を加工することが可能である。即ち、風がない場合、図４の画像７１−１とされていたものが、風がある場合（風パラメータ６３−２の値が、強い風に対応する値である場合）、図５に示されるように、図４の吹流し８１−１に対応する吹流し８１−２がはためくとともに、図４の雲８２−１に対応する雲８２−２や、図４の雲８３−１に対応する雲８３−２が風に流されている形になる画像７１−２とされるように、画像データ６４が加工される。
【００６６】
このように、画像処理モジュール４４は、風パラメータ６３−２の値に応じて、画像データ６４に対応する第１の画像を、第１の画像にも含まれるオブジェクトがゆれたり、吹き飛ばされたり、またははためいたりする第２の画像とするように、画像データ６４を加工することができる。
【００６７】
その他、図示はしないが、画像処理モジュール４４は、例えば、天気パラメータ６３−１の値（晴れに対応する値、曇りに対応する値、雨に対応する値、または雪に対応する値等）に応じて、画像データ６４に対応する第１の画像を、晴れ、曇り、雨降り、または、雪降りの第２の画像とするように、画像データ６４を加工することも可能である。
【００６８】
また、画像処理モジュール４４は、例えば、気温湿度パラメータ６３−３の値（気温に対応する値、および湿度に対応する値）に応じて、画像データ６４に対応する第１の画像を、第１の画像にも含まれる人物に汗をかかせたり、人物の服装を第１の画像とは異なるものに変化させたり、或いは、氷のようなものが溶けたりする第２の画像とするように、画像データ６４を加工することも可能である。
【００６９】
さらに、画像処理モジュール４４は、例えば、複数のパラメータの値を総合的に判断し、その判断結果に基づいて、画像データ６４に対応する第１の画像を、第１の画像にも含まれるオブジェクトの照り返し具合や影の付き方を、第１の画像のそれとは異なる様に変化させたり、或いは、晴れの朝では朝焼けがあり、晴れの夕方には夕暮れがある第２の画像とするように、画像データ６４を加工することも可能である。
【００７０】
さらにまた、画像処理モジュール４４は、画像データ６４に対応する第１の画像を、第１の画像にも含まれる雲を入道雲にしたり、或いは、木を紅葉させたり、枯らせたりするといった季節に応じた第２の画像とするように、画像データ６４を加工することも可能である。
【００７１】
このように、ステップＳ９における画像処理モジュール４４の加工処理の内容は、特に限定されず、この例の画像処理モジュール４４は、天気パラメータ６３−１、風パラメータ６３−２、および気温パラメータ６３−３のうちの任意の数の任意のパラメータの値に基づいて、画像データ６４に対応する第１の画像を、第１の画像とは異なる第２の画像（屋外の気象状態に対応する第２の画像）とするように、画像データ６４を加工することが可能である。
【００７２】
なお、第２の画像に対応する処理画像データは、パラメータ演算モジュール４３によりパラメータの値が演算された時点で生成（加工）されたものでなくてもよく、例えば、基本となる第１の画像と、第１の画像が加工された複数の画像（第２の画像候補）の画像データ６４が画像記憶部４２に予め記憶されている場合、画像処理モジュール４４は、パラメータ演算モジュール４３により演算されたパラメータの値に基づいて、それらの複数の画像データ６４のうちの所定の１つを選択し、選択した画像データ６４を、処理画像データ６５として画像表示制御モジュール４５に供給してもよい。
【００７３】
このようにして、画像処理モジュール４４より処理画像データ６５が出力されると、画像表示制御モジュール４５は、ステップＳ１０において、処理画像データ６５に対応する画像を表示部１９に表示させる。
【００７４】
具体的には、例えば、画像表示制御モジュール４５は、処理画像データ６５を表示部１９に対応するフォーマットの画像信号に変換し、表示部１９に供給する。表示部１９は、供給された画像信号に対応する画像（処理画像データ６５に対応する画像）を表示する。例えば、表示部１９は、壁紙として、屋外の気象状態に応じて、上述した図４の画像７１−１を表示したり、図５の画像７１−２を表示したりする。
【００７５】
ステップＳ１１において、画像表示制御モジュール４５は、全ての画像が表示されたか否かを判定する。
【００７６】
このステップＳ１１における判定条件は、特に限定されないが、この例においては、例えば、以下の通りとする。
【００７７】
即ち、表示対象が動画像の場合、画像表示制御モジュール４５は、例えば、動画像を構成する複数のフレームのうちの最後のフレーム（最後の処理画像データ６５に対応するフレーム）を表示部１９に表示させた時点で、全ての画像が表示されたと判定する。
【００７８】
また、表示対象が、上述した壁紙のように静止画像の場合、画像表示制御モジュール４５は、例えば、表示部１９が走査方式により画像を表示させる表示部とされると、その走査周期（インタレース走査方式の場合、フィールド周期）毎に表示（更新）される画像を１つの画像とみなし、静止画像の表示指示が解除された時点で、全ての画像が表示されたと判定する。
【００７９】
ステップＳ１１において、全ての画像が表示されたと判定された場合、その処理は終了される。
【００８０】
これに対して、ステップＳ１１において、全ての画像がまだ表示されていないと判定した場合、画像表示制御モジュール４５は、ステップＳ１２において、パラメータ更新条件が満たされたか否かを判定する。
【００８１】
ステップＳ１２において、パラメータ更新条件が満たされていないと判定された場合、処理はステップＳ９に戻され、それ以降の処理が繰り返される。即ち、画像処理モジュール４４は、直前に使用したパラメータの値と同じ値を利用して、次の画像データ６４に対して加工および画像処理を施して、次の処理画像データ６５を生成し、画像表示制御モジュール４５に供給する。画像表示制御モジュール４５は、次の処理画像データ６５に対応する画像を表示部１９に表示させる。
【００８２】
従って、この場合、表示対象が動画像であるとき、前のフレームと同一の気象条件（同一のパラメータの値）に応じて加工された次のフレームが表示される。また、表示対象が静止画像であるとき、同一の静止画像が引き続き表示される。
【００８３】
これに対して、パラメータ更新条件が満たされたと判定された場合、処理はステップＳ１に戻され、それ以降の処理が繰り返される。即ち、画像処理モジュール４４は、パラメータ演算モジュール４３により再演算された（更新された）パラメータの値を利用して、次の画像データ６４に対して加工および画像処理を施して、次の処理画像データ６５を生成し、画像表示制御モジュール４５に供給する。画像表示制御モジュール４５は、次の処理画像データ６５に対応する画像を表示部１９に表示させる。
【００８４】
従って、この場合、表示対象が動画像であるとき、前のフレームとは異なる気象条件（更新されたパラメータの値）に応じて加工された次のフレームが表示される。
【００８５】
また、表示対象が静止画像であるとき、直前に表示された静止画像とは異なる静止画像（更新されたパラメータの値に応じて再加工された静止画像）が表示される。換言すると、表示対象が静止画像である場合であっても、パラメータ更新条件が満たされる毎に、表示部１９に表示される画像は、屋外の気象状態の変化に連動して変化していく。
【００８６】
さらに、パラメータ更新条件が、例えば、上述した走査周期毎とされた場合、表示部１９に表示される画像は、走査周期毎に、新たな静止画像（走査周期毎に更新されるパラメータの値に応じて再加工された静止画像）に更新されていく。換言すると、ユーザは、走査周期毎に表示される新たな静止画像を、実質上、動画像の１枚のフレームとして捉えることになり、あたかも動画像のように変化する画像を見ることができる。即ち、ユーザは、窓から屋外の景色を見るような感覚で、表示部１９に表示される壁紙等の画像を見ることができ、屋外の様子を屋内にいながら認識することが可能になる。
【００８７】
なお、パラメータ更新条件は、特に限定されず、上述した走査周期の他、例えば、ユーザにより設定された所定の時間、または予め設定された所定の時間が経過した場合、パラメータ更新条件が満たされたと判定されてもよい。
【００８８】
以上、屋外の気象状態に応じて、即ち、パラメータ演算モジュール４３により演算されたパラメータの値に応じて、表示部１９に表示される画像を変化させる例について説明した。
【００８９】
ところで、屋外の気象状態に対応するパラメータの値は、上述した画像表示処理以外の処理にも使用可能である。例えば、図１の画像処理装置１がゲーム装置として機能する場合、画像処理装置１は、屋外の気象状態に応じて（パラメータ演算モジュール４３により演算されたパラメータの値に応じて）、ゲームに利用される画像（以下、ゲーム画像と称する）を変化させるとともに、そのゲームの進行状況も変化させることが可能である。
【００９０】
このような屋外の気象状態を利用してゲームを実行する処理（ゲーム画像を変化させたり、進行状況を変化させる処理）を行う機能を実現するソフトウエアプログラムの構成例が、図６に示されている。
【００９１】
図６のソフトウエアプログラムには、図２のそれに対してさらに、ゲーム実行モジュール４６が設けられている。その他の構成は、図２のそれと同様である。ゲーム実行モジュール４６は、所定のゲームを実行するモジュールであり、ゲームの進行状況に対応する画像データ６４（ゲーム画像に対応する画像データ６４）を画像記憶部４２に記憶させたり、パラメータ演算モジュール４３より供給されたパラメータの値に基づいて、ゲームの進行状況を変化させる。
【００９２】
例えば、ゲーム実行モジュール４６が、サッカーのシミュレーションゲームを実行する場合、画像処理装置１は、晴れ、雨、気温、または湿度等の気象状況が反映された試合展開（ゲーム進行状況）のゲーム画像を表示部１９に表示させることができる。具体的には、例えば、実世界においては、雨の場合と晴れの場合、または、風が弱い場合と強い場合では、同じ方向に同じ力でボールが蹴られたとしても、ボールの飛ぶ距離や方向が異なるが、ゲームにおいてもその再現（進行状況の変化）が可能になる。
【００９３】
また、例えば、画像処理装置１は、選手の身体的能力等を表すパラメータの値を、気象状態を表すパラメータの値（パラメータ演算モジュール４３により演算されたパラメータの値）に連動して変化させることもできる。具体的には、例えば、実世界においては、雨が降ると実力を発揮できない選手や、逆に、雨が降ると実力以上の力を発揮できる選手等、様々な特徴を有する選手が存在するが、ゲームにおいてもその再現（進行状況の変化）が可能になる。
【００９４】
さらに、上述したように、気象情報記憶部４１は、気象情報６２として、世界各国の任意の場所の任意の時刻の気象情報を記憶することができるので、ユーザは、図６の画像処理装置（ゲーム装置）１を操作して、所望の場所の所望の時刻の気象状態（例えば、実世界の所定の場所で、過去に現実に行われた所定のサッカーの試合の時と同一の気象状態）で、サッカーの擬似試合（ゲーム）を行うことが可能である。
【００９５】
このような気象状態の変化を利用するゲームは、サッカーのシミュレーションゲームに限定されず、例えば、野球、自動車レース、若しくは競馬等のスポーツに代表される、実世界の屋外で行われる対象のシミュレーションゲームでもよいし、或いは、キャラクタが所定の目的で仮想世界上の屋外を移動するゲーム（いわゆるアドベンチャーゲームやロールプレイングゲーム等）でもよい。
【００９６】
このように、画像処理装置１は、センサ部１６により検出された気象情報６１に基づいて、天気パラメータ６３−１、風パラメータ６３−２、および、気温湿度パラメータ６３−３といったパラメータの値を演算し、これらのパラメータの値に基づいて、所定の画像データ６４に対応する画像を屋外の気象状態に対応する画像とするように、画像データ６４を加工して処理画像データ６５を生成し、生成した処理画像データ６５に対応する画像を表示部１９に表示させることができる。
【００９７】
従って、画像処理装置１は、たとえ他の装置が接続されなくとも、屋外の気象状態に対応して変化する画像を表示部１９に常時表示させることが可能になる。
【００９８】
これにより、例えば、ユーザは、ネットワーク等に接続されていない画像処理装置１を屋内で利用する場合であっても、表示部１９に表示される画像が屋外の気象変化にともなって変化するので、屋外の状況を把握することが可能になる。
【００９９】
また、たとえば、画像処理装置１がネットワーク等に接続されていない状態でも、ユーザは、画像処理装置１の壁紙やスクリーンセーバとして、屋外の気象変化にともなって変化する画像を利用することが可能になる。換言すると、壁紙やスクリーンセーバはそもそも補助的な画像であるが、画像処理装置１は、このような補助的な画像を表示させるためだけに、不要な通信を行う必要がなくなる。
【０１００】
勿論、画像処理装置１は、上述した図２や図６に示されるように、ネットワーク５１に接続された気象情報配信装置５２から配信される気象情報６２（外部から供給される気象情報６２）も選択的に利用できるので、ネットワーク接続を所望し、さらに個性豊かな様々な画像（例えば、世界各地の所定の時刻の気象状態を再現した画像）を壁紙やスクリーンセーバに使いたいと所望するユーザにとっても、満足のいく仕様とされている。
【０１０１】
さらに、図６の画像処理装置１は、気象状態の変化にともなって進行状況が変化するゲームを実行することができるので、ユーザは、そのようなゲームを遊戯することで、実世界により近い状態（臨場感）を体験することが可能になる。
【０１０２】
ところで、上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１０３】
この記録媒体は、図１に示されるように、装置本体とは別に、ユーザにプログラムを提供するために配布される、プログラムが記録されている磁気ディスク（フロッピディスクを含む）、光ディスク（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク（ＭＤ（Ｍｉｎｉ−Ｄｉｓｋ）を含む）、もしくは半導体メモリなどよりなるリムーバブル記録媒体（パッケージメディア）３１により構成されるだけでなく、装置本体に予め組み込まれた状態でユーザに提供される、プログラムが記録されているＲＯＭ１２や、記憶部２０に含まれるハードディスクなどで構成される。
【０１０４】
また、上述した一連の処理は、ソフトウエアにより実行させることもできるが、ハードウエアにより実行させることもできる。
【０１０５】
即ち、上述した図２や図６のソフトウエアプログラムを構成する各モジュールのそれぞれ、および、各データベースのそれぞれは、対応する機能を果たすものであれば、その形態は限定されず、例えば、ハードウエアなどでモジュールおよびデータベースが構成されてもよい。この場合、例えば、製造者等は、上述した各モジュールのそれぞれに対応する装置（ハードウエア）と、各データベースのそれぞれに対応する装置（ハードウエア）を製作し、それらを、図２または図６に示されるようにそれぞれ接続することで、本発明が適用される画像処理装置を、図１とは異なる構成で実現することも可能である。
【０１０６】
さらに、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１０７】
【発明の効果】
以上のごとく、本発明によれば、画像データを加工し、その画像データに対応する画像を表示させることができる。特に、他の装置と接続することなく、屋外の気象状態に対応して変化する画像を常時表示させることができる。
【図面の簡単な説明】
【図１】本発明が適用される画像処理装置のハードウエアの構成例を示すブロック図である。
【図２】図１の画像処理装置のソフトウエアの構成例を示すブロック図である。
【図３】図２の画像処理装置の天気対応表示処理の例を説明するフローチャートである。
【図４】図１の画像処理装置の表示部に表示される、屋外の気象状態に応じて変化する画像の例を説明する図である。
【図５】図１の画像処理装置の表示部に表示される、屋外の気象状態に応じて変化する他の画像の例を説明する図である。
【図６】図１の画像処理装置のソフトウエアの他の構成例を示すブロック図である。
【符号の説明】
１　画像処理装置，　１１　ＣＰＵ，　１６　センサ部，　４１　気象情報記憶部，　４２　画像記憶部，　４３　パラメータ演算モジュール，　４４　画像処理モジュール，　４５　画像表示制御モジュール，　４６　ゲーム実行モジュール，　６１，６２　気象情報，　６３−１　天気パラメータ，　６３−２　風パラメータ，　６３−３　気温湿度パラメータ，　６４　画像データ，　６５　処理画像データ
【図１】
2004145419.tif 000003
【図２】
2004145419.tif 000004
【図３】
2004145419.tif 000005
【図４】
2004145419.tif 000006
【図５】
2004145419.tif 000007
【図６】
2004145419.tif 000008